【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
画像データに基づき第１投射方向に画像を投射する第１プロジェクターと、
画像データに基づき第２投射方向に画像を投射する第２プロジェクターと、
前記第１プロジェクターが投射した画像の画像データを記憶する記憶部と、を備え、
前記第２プロジェクターが投射する画像を、前記記憶部が記憶する前記画像データに基づく画像に切り替え可能であるプロジェクションシステム。
【請求項２】
指示入力を受け付ける受付部を備え、前記受付部で受け付けた指示入力に応じて、前記第２プロジェクターが投射する画像を、前記記憶部に記憶された画像データに基づく画像に切り替える請求項１記載のプロジェクションシステム。
【請求項３】
画像データを取得する第１取得部と、
前記第１取得部が取得した前記画像データに基づき画像を投射する第１投射部と、
前記第１投射部により投射した画像の画像データを記憶する第１記憶部と、
前記第１記憶部が記憶する画像データを第２プロジェクターに送信する第１通信部と、を備える第１プロジェクターと、
画像データを取得する第２取得部と、
前記第２取得部が取得した前記画像データに基づき画像を投射する第２投射部と、
前記第１プロジェクターから前記画像データを受信する第２通信部と、
前記第２通信部により受信した前記画像データを記憶する第２記憶部と、を備える第２プロジェクターと、を有し、
前記第２プロジェクターは、前記第２投射部によって前記第２取得部が取得した前記画像データに基づき画像を投射する動作と、前記第２投射部によって前記第２記憶部に記憶した前記画像データに基づき画像を投射する動作とを切り替えて実行可能であるプロジェクションシステム。
【請求項４】
前記第１プロジェクターは、前記第２プロジェクターに対し画像の切り替えを指示する制御データを生成して、前記第１通信部により前記第２プロジェクターに送信させる切替制御部を備え、
前記第２プロジェクターは、前記第２通信部により前記制御データを受信した場合に、前記第２投射部によって前記第２取得部が取得した前記画像データに基づき画像を投射する動作と、前記第２投射部によって前記第２記憶部に記憶した前記画像データに基づき画像を投射する動作とを切り替える請求項３記載のプロジェクションシステム。
【請求項５】
前記第１プロジェクターは、
操作用画像データに基づき操作用画像を投射可能であり、
前記第１投射部が投射する前記操作用画像に対する操作を受け付ける受付部を備え、
前記切替制御部は、前記受付部で受け付けた操作に基づき、前記制御データを生成して、前記第１通信部により前記第２プロジェクターに送信させる請求項４記載のプロジェクションシステム。
【請求項６】
前記第１プロジェクターは、
位置入力を検出する位置検出部と、
前記位置検出部により検出した位置に基づき画像を生成する画像生成部と、を備え、
前記第１投射部は、前記画像生成部が生成した画像の画像データを前記第１取得部が取得した前記画像データと合成した合成画像データに基づく画像を投射し、
前記第１記憶部は、前記合成画像データを記憶し、
前記第１通信部は、前記記憶部が記憶した前記合成画像データを前記第２プロジェクターに送信する請求項３から５のいずれか１項に記載のプロジェクションシステム。
【請求項７】
前記第１プロジェクターは、前記第１投射部とは異なる方向に画像を投射する第３投射部を備え、
前記第３投射部により、前記第１取得部が取得する前記画像データに基づく画像、及び、前記第１記憶部が記憶した前記画像データに基づく画像を切り替えて投射可能である請求項３から６のいずれか１項に記載のプロジェクションシステム。
【請求項８】
前記第３投射部により前記第１記憶部が記憶した前記画像データに基づく画像を投射する場合の画像の向きを変更可能である請求項７記載のプロジェクションシステム。
【請求項９】
前記第２プロジェクターは、前記第２投射部とは異なる方向に画像を投射する第４投射部を備え、
前記第４投射部により、前記第２取得部が取得する前記画像データに基づく画像、及び、前記第２記憶部が記憶した前記画像データに基づく画像を切り替えて投射可能である請求項３から８のいずれか１項に記載のプロジェクションシステム。
【請求項１０】
前記第４投射部により前記第２記憶部が記憶した前記画像データに基づく画像を投射する場合の画像の向きを変更可能である請求項９記載のプロジェクションシステム。
【請求項１１】
画像データに基づき第１投射方向に画像を投射する第１プロジェクターと、画像データに基づき第２投射方向に画像を投射する第２プロジェクターと、を備えるプロジェクションシステムを制御して、
前記第１プロジェクターが投射した画像の画像データを記憶し、前記第２プロジェクターが投射する画像を、前記記憶した前記画像データに基づく画像に切り替えるプロジェクションシステムの制御方法。
【請求項１２】
画像データに基づき第１投射方向に画像を投射する第１プロジェクターと、画像データに基づき第２投射方向に画像を投射する第２プロジェクターと、を備えるプロジェクションシステムを制御するプロジェクションシステムの制御方法であって、
前記第１プロジェクターは、
第１取得部により画像データを取得し、
前記第１取得部が取得した前記画像データに基づき画像を投射し、
投射した画像の画像データを記憶し、
記憶した画像データを前記第２プロジェクターに送信し、
第２プロジェクターは、
第２取得部により画像データを取得し、
前記第２取得部が取得した前記画像データに基づき画像を投射し、
前記第１プロジェクターから前記画像データを受信し、受信した前記画像データを記憶し、前記第２取得部が取得した前記画像データに基づき画像を投射する動作と、記憶した前記画像データに基づき画像を投射する動作とを切り替えて実行するプロジェクションシステムの制御方法。
【手続補正２】
【補正対象書類名】明細書
【補正対象項目名】００３１
【補正方法】変更
【補正の内容】
【００３１】
プロジェクター１５は、制御部５１の制御により、画像ソースから画像データを取得して、取得した画像データに基づく画像を投射部５５により投射する。プロジェクター１５の画像データは、画像供給装置から入力される画像データ、及び、記憶部５２に記憶する画像データから選択できる。
【手続補正３】
【補正対象書類名】明細書
【補正対象項目名】００４０
【補正方法】変更
【補正の内容】
【００４０】
ケース１として、プロジェクター１１、１３が電子黒板機能で画像を描画した場合に、描画した画像と他の画像とを合成するケースを示す。ケース１では、電子黒板機能の実行時、プロジェクター１１、１３は、外部入力に相当画像ソースを選択せず、プロジェクター１１、１３の内部の回路系（制御系）で構成する背景を、投射する。この背景に重ねて、指示体２０１の操作に応じて図形を描画する。背景は、例えば、全白画面（全面が白やグレーである画面）、全白画面に罫線を付した画面等である。プロジェクター１１、１３は、背景画像のテンプレートを記憶部２２、３２に記憶していて、このテンプレートを用いて背景を投射してもよい。テンプレートは背景の画像データ自体であってもよく、背景の画像データを生成するためのプログラムやデータであってもよい。
【手続補正４】
【補正対象書類名】明細書
【補正対象項目名】０１０５
【補正方法】変更
【補正の内容】
【０１０５】
また、投射制御部３１１は、投射画像Ｐ３または投射画像Ｐ４を、プロジェクター１１が投射する投射画像Ｐ１や投射画像Ｐ２に切り替える制御を行う。この場合、投射制御部３１１は、投射画像Ｐ３または投射画像Ｐ４の画像ソースを、プロジェクター１１から送信されて記憶部３２に一時記憶された画像データに変更する。
【手続補正５】
【補正対象書類名】明細書
【補正対象項目名】０１１７
【補正方法】変更
【補正の内容】
【０１１７】
画像処理部３４（画像生成部）は、画像処理を実行する場合、画像ソースから取得した画像データに基づく画像をフレームメモリー３４１に展開し、フレームメモリー３４１に展開した画像に対する各種処理を実行する。例えば、画像処理部３４は、描画制御部３１２の制御に従って、指示体２０３の操作により描画された描画画像を、フレームメモリー３４１の画像に重畳して合成し、合成画像（重畳画像）を生成する。また、ＧＵＩ操作用の画像を表示する場合、画像処理部３４は、ＧＵＩデータ３２２に基づく画像をフレームメモリー３４１の画像に重畳して合成し、合成画像を生成する。画像処理部３４は、フレームメモリー３４１で合成された合成画像の画像データを記憶部３２に出力して、投射画像データ３２４として記憶させてもよい。また、投射制御部３１１によって投射画像のキャプチャーが指示された場合、画像処理部３４は、フレームメモリー３４１の画像のデータを記憶部３２に出力して、投射画像データ３２４として記憶させてもよい。
【手続補正６】
【補正対象書類名】明細書
【補正対象項目名】０１２７
【補正方法】変更
【補正の内容】
【０１２７】
投射部５５は、光源５５１と、光源５５１が発する光を変調して画像光を生成する光変調装置５５２と、光変調装置５５２により変調された画像光を平面ＰＬ３に投射する投射光学系５５３と、を備える。
【手続補正７】
【補正対象書類名】明細書
【補正対象項目名】０１２８
【補正方法】変更
【補正の内容】
【０１２８】
光源５５１は、ハロゲンランプ、キセノンランプ、超高圧水銀ランプ等のランプ、或いは、ＬＥＤやレーザー光源等の固体光源で構成される。光源５５１は、光源駆動部５３５から供給される電力により点灯し、光変調装置５５２に向けて光を発する。
【手続補正８】
【補正対象書類名】明細書
【補正対象項目名】０１２９
【補正方法】変更
【補正の内容】
【０１２９】
光変調装置５５２は、光源５５１が発する光を変調して画像光を生成し、画像光を投射光学系５５３に照射する。
光変調装置５５２は、例えば、透過型の液晶ライトバルブ、反射型の液晶ライトバルブ、デジタルミラーデバイス等の光変調素子を備える。光変調装置５５２の光変調素子には光変調装置駆動部５３６が接続される。光変調装置駆動部５３６は、画像処理部５４が出力する画像信号に基づき、光変調装置５５２を駆動する。光変調装置駆動部５３６は、光変調装置５５２の光変調素子を駆動して各画素の階調を設定し、光変調素子にフレーム（画面）単位で画像を描画する。
【手続補正９】
【補正対象書類名】明細書
【補正対象項目名】０１３３
【補正方法】変更
【補正の内容】
【０１３３】
投射制御部５１１は、画像処理部５４、光源駆動部５３５、光変調装置駆動部５３６を含む各部を制御して、プロジェクター１５による投射画像Ｐ５の投射を制御する。画像処理部５４が実行する処理の実行タイミング、実行条件等を制御する。また、投射制御部５１１は、光源駆動部５３５を制御して、光源５５１の輝度の調整等を行う。
【手続補正１０】
【補正対象書類名】明細書
【補正対象項目名】０１４５
【補正方法】変更
【補正の内容】
【０１４５】
画像処理部５４は、光変調装置駆動部５３６に画像信号を出力し、光変調装置５５２に画像を形成させる。
光源駆動部５３５は、光源５５１に対して駆動電流やパルスを供給し、光源５５１を発光させる。また、光源駆動部５３５は光源５５１の発光の輝度を調整可能であってもよい。光変調装置駆動部５３６は、制御部５１の制御に従って、画像処理部５４から入力される画像信号に基づき、光変調装置５５２を駆動して、光変調装置５５２にフレーム単位で画像を描画する。
【手続補正１１】
【補正対象書類名】明細書
【補正対象項目名】０１５４
【補正方法】変更
【補正の内容】
【０１５４】
制御部２１は、入力処理部２４７が受け付ける操作によりメニューバー２０６の表示が指示されたか否かを判定する（ステップＳ１３）。メニューバー２０６の表示が指示された場合（ステップＳ１３；Ｙｅｓ）、制御部２１は、ＧＵＩデータ２２２に基づき、投射部２５によってメニューバー２０６を表示させる（ステップＳ１４）。ここで、制御部２１は、位置検出部２７による指示位置の検出を開始し、指示体２０１による操作が可能な状態に移行する（ステップＳ１５）。
【手続補正１２】
【補正対象書類名】明細書
【補正対象項目名】０１８２
【補正方法】変更
【補正の内容】
【０１８２】
第１の態様では、プロジェクター１１は、画像データを取得する画像インターフェイス部２４３と、画像インターフェイス部２４３が取得した画像データに基づき画像を投射する投射部２５、２６とを備える。この場合、第１投射部は投射部２５及び投射部２６のいずれかが相当する。プロジェクター１１は、投射部２５、２６により投射した画像の画像データである投射画像データ２２４を記憶する記憶部２２と、投射画像データ２２４をプロジェクター１３或いはプロジェクター１５に送信する無線通信部２３と、を備える。プロジェクター１３は、画像データを取得する画像インターフェイス部３４３と、画像インターフェイス部３４３が取得した画像データに基づき画像を投射する投射部３５、３６とを備える。この場合、第２投射部は投射部３５及び投射部３６のいずれかが相当する。プロジェクター１３は、プロジェクター１１から画像データを受信する無線通信部３３と、無線通信部３３により受信した画像データを投射画像データ３２４として記憶する記憶部３２とを備える。プロジェクター１３は、投射部３５、３６によって、画像インターフェイス部３４３が取得した画像データに基づき画像を投射する動作と、投射画像データ３２４に基づき画像を投射する動作とを切り替えて実行可能である。また、第２プロジェクターがプロジェクター１５である場合、プロジェクター１５は、画像データを取得する画像インターフェイス部５４３と、画像インターフェイス部５４３が取得した画像データに基づき画像を投射する投射部５５とを備える。プロジェクター１５は、プロジェクター１１から画像データを受信する無線通信部５３と、無線通信部５３により受信した画像データを投射画像データ５２４として記憶する記憶部５２と、を備える。プロジェクター１５は、投射部５５によって、画像インターフェイス部５４３が取得した画像データに基づき画像を投射する動作と、投射画像データ５２４に基づき画像を投射する動作とを切り替えて実行可能である。
【手続補正１３】
【補正対象書類名】明細書
【補正対象項目名】０１８６
【補正方法】変更
【補正の内容】
【０１８６】
第２の態様では、プロジェクター１３は、プロジェクター１１またはプロジェクター１５に対し画像の切り替えを指示する制御データを生成して、無線通信部３３によりプロジェクター１１或いはプロジェクター１５に送信させる制御部３１を備える。プロジェクター１１は、無線通信部３３により制御データを受信した場合に、動作を切り替えることができる。すなわち、プロジェクター１１は、投射部２５、２６によって画像インターフェイス部２４３が取得した画像データに基づき画像を投射する動作と、記憶部２２に記憶した投射画像データ２２４に基づき画像を投射する動作とを切り替える。また、プロジェクター１５は、無線通信部５３により制御データを受信した場合に、動作を切り替えることができる。すなわち、プロジェクター１５は、投射部５５によって画像インターフェイス部５４３が取得した画像データに基づき画像を投射する動作と、記憶部５２に記憶した投射画像データ５２４に基づき画像を投射する動作とを切り替える。
これにより、プロジェクター１１、１３が制御データを送信することによって、プロジェクター１１、１３、１５のうち他のプロジェクターが投射する画像を、プロジェクター１１、１３が投射していた画像に切り替えさせることができる。このため、プロジェクションシステム１において投射画像を切り替える場合の操作を簡易化でき、利便性の向上を図ることができる。